(57)【特許請求の範囲】
【請求項１】
電源電圧として直流が入力された場合にも交流が入力された場合にも、外部の電気機器に直流を出力する交直両用形電源入力回路において、
直流又は交流が入力される入力線と、
この入力線に１次側が接続された変圧器と、
この変圧器の２次側に接続されたＡＣ／ＤＣコンバータと、
このＡＣ／ＤＣコンバータの出力端に接続された直流出力線と、
前記入力線から分岐して直流出力線に接続された１対の直流供給線と、
前記入力線のうち直流入力時に負極側となる負極側入力線に設けられた入力切換用回路であって、キャパシタと、第１継電器の第１駆動部と、第２継電器の第２接点部とを並列に接続した入力切換用回路と、
前記１対の直流供給線に介装された第１継電器の１対の第１接点部と、
前記直流出力線の正極側線と負極側線に接続された第２継電器の第２駆動部と、
を備えたことを特徴とする交直両用形電源入力回路。
【請求項２】
前記直流出力線の正極側線に接続された第２継電器の第２駆動部の第１接続点と、前記直流出力線の正極側線と正極側直流供給線の第２接続点との間にダイオードを設けたことを特徴とする請求項１に記載の交直両用形電源入力回路。
【請求項３】
前記ＡＣ／ＤＣコンバータの出力端に並列に接続された第１キャパシタと、前記第２継電器の第２駆動部の出力側に並列に接続された第２キャパシタとを備えたことを特徴とする請求項１又は２に記載の交直両用形電源入力回路。
【請求項４】
この交直両用形電源入力回路が、金型に備えられたガススプリングのガス圧力を表示する表示装置の電源入力回路としてガス圧モニター装置に組み込まれたことを特徴とする請求項１〜３の何れかに記載の交直両用形電源入力回路。
【発明の詳細な説明】
【技術分野】
【０００１】
電源電圧として、特に一つの入力端子に直流が入力された場合にも交流が入力された場合にも、内部回路を自動的に切り換えて外部の電気機器に直流を出力する交直両用形電源入力回路に関する。
【背景技術】
【０００２】
従来、自動車工場のプレスライン場等に設置されているプレス機械の制御ユニットは、電源としてＡＣ１００Ｖが使用されてきたが、最近では制御ユニットのディジタル化によりＤＣ２４Ｖを電源とする制御ユニットが広く実用に供されている。このため、プレス機械やその関連機器に接続されて前記制御ユニットから給電される電子機器では、ＡＣ１００Ｖを電源とする電子機器と、ＤＣ２４Ｖを電源とする電子機器との２種類が必要となる。        
この場合、２種類の電子機器を購入し、電源電圧に応じて使い分けなければならないので、種々の面で面倒になる。
【０００３】
ところで、上記プレス機械に使用される金型の中には、金型内部にガススプリングが組み込まれている場合がある。この場合、ガススプリングのガス圧を検出して表示するためガス圧モニター装置が使用され、プレス機械が稼働中であってもガス圧が表示される。このガス圧モニター装置は、ＤＣ２４Ｖで駆動されるが、前記プレス機械の制御ユニットから電力が供給されるため、このガス圧モニター装置はＡＣ１００Ｖの電源とＤＣ２４Ｖの電源に対応できることが望ましい。
【０００４】
例えば、特許文献１に記載の交直両用電源装置がある。この電源装置は、交流電源と直流電源が別々の入力端子に接続可能に構成され、電源装置内部の絶縁トランスＴを、交流電源を使用するときは第１のスイッチング回路１１によりＡＣ／ＤＣコンバータとして作動させ、直流電源を使用するときは第２のスイッチング回路１２によりＤＣ／ＤＣコンバータとして作動させ直流電圧を出力する交直両用形電源装置である。
【特許文献１】特開平５-１６１３５１号公報
【発明の開示】
【発明が解決しようとする課題】
【０００５】
しかし、上記の交直両用形電源装置では、直流用入力端子と交流用入力端子の２組の入力端子が必要であるため、入力端子の数が多く構造が複雑になる。また、作業者が直流電源を交流用入力端子に接続したり、交流電源を直流用入力端子に接続したりする間違いを犯すおそれがあり、使い勝手も良くない。交流用の入力端子に直流電源を接続してしまうとトランスが故障する虞がある。
【０００６】
ところで、ＡＣ１００ＶとＤＣ２４Ｖを共通の入力端子に入力可能にすることができれば、非常に便利であるが、そのような電気回路にはパワートランジスタ等の高価なＩＣ素子が複数個必要であると推定されるため、製作コストが高価になり、さらに複数個のＩＣ素子により電源装置の体積が増加して大型化してしまい、実用に適するものではないと思われる。
【０００７】
本発明の目的は、一つの入力端子に交直両方の電源が接続可能な交直両用形電源入力回路であって、自動的に切り換え可能で且つＩＣ素子を用いない小型で簡単な回路構成を有した交直両用形電力入力回路を提供することである。
【課題を解決するための手段】
【０００８】
請求項１の交直両用形電源入力回路は、電源電圧として直流が入力された場合にも交流が入力された場合にも、外部の電気機器に直流を出力する交直両用形電源入力回路において、直流又は交流が入力される入力線と、この入力線に1次側が接続された変圧器と、この変圧器の２次側に接続されたＡＣ／ＤＣコンバータと、このＡＣ／ＤＣコンバータの出力端に接続された直流出力線と、前記入力線から分岐して直流出力線に接続された１対の直流供給線と、前記入力線のうち直流入力時に負極側となる負極側入力線に設けられた入力切換用回路であって、キャパシタと、第１継電器の第１駆動部と、第２継電器の第２接点部とを並列に接続した入力切換用回路と、前記１対の直流供給線に介装された第１継電器の１対の第１接点部と、前記直流出力線の正極側線と負極側線に接続された第２継電器の第２駆動部と、を備えたことを特徴としている。
【０００９】
この電源入力回路に直流が入力された場合には、第１継電器の第１駆動部が作動して１対の電力供給線に介装された１対の第１接点部がＯＮし、入力線と直流供給線と直流出力線とで直流を供給する回路が構成され、入力線に入力された直流が直接外部の電気機器に出力される。このとき、前記第１継電器の第１駆動部にも抵抗があり、変圧器の１次側には第１駆動部とで分圧された電圧が印加されるが、直流では変圧器は駆動されないため、変圧器の２次側の出力はゼロ電圧となり、第２駆動部は作動しない。
【００１０】
この電源入力回路に交流が入力された場合には、キャパシタを介して入力線に交流が流れるため、変圧器が作動し、第２継電器の第２駆動部が作動して第２接点部がＯＮし、入力線と変圧器とＡＣ／ＤＣコンバータと直流出力線とで直流を供給する回路が構成され、入力線に入力された交流は、変圧器で変圧後、コンバータで整流され、直流出力線から直流が外部の電気機器に出力される。
【００１１】
入力切換用回路は、キャパシタと、第１継電器の第１駆動部と、第２継電器の第２接点部とを並列に接続された構成を有し、直流が入力された場合は、キャパシタが充電されるので、第１駆動部が遅延して作動する。交流が入力された場合は、キャパシタを介して入力線に交流が流れ、第１駆動部が作動することなく、第２駆動部により第２接点部がＯＮされ、キャパシタと第１駆動部は短絡される。
【００１２】
請求項２の交直両用形電源入力回路は、請求項１の発明において、前記直流出力線の正極側線に接続された第２継電器の第２駆動部の第１接続点と、前記直流出力線の正極側線と正極側直流供給線の第２接続点との間にダイオードを設けたことを特徴としている。
【００１３】
請求項３の交直両用形電源入力回路は、請求項１又は２の発明において、前記ＡＣ／ＤＣコンバータの出力端に並列に接続された第１キャパシタと、前記第２継電器の第２駆動部の出力側に並列に接続された第２キャパシタとを備えたことを特徴としている。
【００１４】
請求項４の交直両用形電源入力回路は、請求項１〜３の何れかの発明において、この交直両用形電源入力回路が、金型に備えられたガススプリングのガス圧力を表示する表示装置の電源入力回路としてガス圧モニター装置に組み込まれたことを特徴としている。
【発明の効果】
【００１５】
請求項１の発明によれば、この交直両用形電源入力回路に直流を入力する場合、変圧器の１次側と第１継電器の第１駆動部に分圧された電圧を夫々印加することができるため、第１駆動部により第１接点部がＯＮし、１対の直流供給線を介して直接入力線と直流出力線を接続することができ、直流を供給する回路を構成することができる。
【００１６】
この電源入力回路に交流を入力する場合、キャパシタを介して入力線に交流が流れるため、変圧器が作動してその２次側からＡＣ／ＤＣコンバータを介して第２継電器の第２駆動部に電圧を印加することができるため、第２駆動部により第２接点部がＯＮし、第１駆動部とキャパシタが短絡され、入力線と変圧器とＡＣ／ＤＣコンバータと直流出力線から直流を供給する回路を構成することができる。
このように、共通の入力線に、直流を入力した場合にも直流出力線に直流を発生し、交流を入力した場合にも直流出力線に直流を発生する。そのため、直流電源、交流電源を区別することなく、入力線に電源を入力可能になるので、使い勝手に優れる。
【００１７】
入力切換回路のキャパシタは、直流が入力された場合には、先ずこのキャパシタが充電されるため、第１駆動部の駆動に遅延を付加することができ、電源入力回路の起動の安定性を向上させることができる。交流が入力された場合には、このキャパシタのバイパスの機能により第１駆動部に対する瞬間的な電圧変化がないため、第１継電器の誤動作を防止することができる。また、第２駆動部により第２接点部がＯＮされ、キャパシタと第１駆動部が短絡されるので、キャパシタと合わせて二重の誤動作防止となる。
【００１８】
この電源入力回路は、入力切換用回路により交流又は直流が入力されても自動的に回路を切り換えることができるので、高価なＩＣ素子を使用せずに、安価な構成部品で小型の電源入力回路を製造することができるので、製造コストを抑制することができる。
【００１９】
請求項２の発明によれば、直流出力線の正極側線に接続された第２継電器の第２駆動部の第１接続点と、直流出力線の正極側線と正極側直流供給線の第２接続点との間にダイオードを設けたので、直流が入力された場合に第２継電器の第２駆動部を駆動させないように、直流を供給する回路から第２駆動部を隔離することができる。
【００２０】
請求項３の発明によれば、ＡＣ／ＤＣコンバータの出力端に並列に接続された第１キャパシタと、第２継電器の第２駆動部の出力側に並列に接続された第２キャパシタとを備えたので、第１キャパシタにより、第２継電器の第２駆動部の作動電圧を濾波することができ、第２キャパシタにより、ＡＣ／ＤＣコンバータから出力された全波整流された直流電圧を濾波することができる。
【００２１】
請求項４の発明によれば、この交直両用形電源入力回路が、金型に備えられたガススプリングのガス圧力を表示する表示装置の電源入力回路としてガス圧モニター装置に組み込まれたので、このガス圧モニター装置は、交流又は直流電源のどちらが入力線に接続されても、この電源入力回路により自動的に切り換えられ直流電圧をガス圧モニター装置の表示装置に供給することができる。
【発明を実施するための最良の形態】
【００２２】
本発明は、電源電圧として直流が入力された場合にも交流が入力された場合にも、外部の電気機器（本発明ではガス圧モニター装置の表示ディスプレイ）に直流を出力する交直両用形電源入力回路である。以下、図面に基づいて詳細に説明する。
【実施例１】
【００２３】
先ず、実施例１に係る電源入力回路１０が組み込まれたガス圧モニター装置１（以下モニター装置）について説明する。
図１と図２に示すように、このモニター装置１は、プレス機械の制御ユニット２から電力が供給され、金型に組み込まれたガススプリング４のガス圧力を検出して表示するためのものであって、本体ケース６と、液晶ディスプレイ７（表示装置に相当する）と、ガス供給源３にガスホース３ａを介して連結される第１連結部８ａと、ガススプリング４にガスホース４ａを介して連結される第２連結部８ｂと、ゲージ部９と、制御ユニット２からの電源系統と信号系統を一本に纏めた電気ケーブル２ａが接続される図示外の接続部と、この接続部に入力線１２ａ，１２ｂが接続される交直両用形電源入力回路１０（以下、電源入力回路と略す）などから構成されている。
【００２４】
圧縮ガス（例えば、窒素ガス）が、ガス供給源３からこのモニター装置１を介してガススプリング４のガス作動室に給排され、この給排される圧縮ガスのガス圧力が、液晶ディスプレイ７とゲージ部９に常時表示される。このモニター装置１は、圧力スイッチの機能を有し、ガス圧力が一定値以下になると電気ケーブル２ａを介して制御ユニット２に停止信号が送信され、プレス機械が緊急停止される。
【００２５】
ここで、表示ディスプレイ７を駆動させる電源入力回路１０について説明する。
図３に示すように、電源入力回路１０は、制御ユニット２から電気ケーブル２ａを介して交流又は直流が入力される入力線１２ａ，１２ｂと、変圧器１３と、ＡＣ／ＤＣコンバータ１４と、直流を出力する直流出力線１６ａ，１６ｂと、１対の直流供給線１７ａ，１７ｂと、入力切換用回路１９と、第１，第２継電器２１，２２などから回路構成されている。この電源入力回路１０にはプレス機械の制御ユニット２の電源に応じて交流又は直流電源が接続可能である。
【００２６】
この電源入力回路１０に交流が入力された場合には、第２継電器２２の第２駆動部２２ａが駆動して第２接点部２２ｂがＯＮし、第１継電器２１の第１駆動部２１ａを短絡し、入力線１２ａ，１２ｂと変圧器１３とＡＣ／ＤＣコンバータ１４と直流出力線１６ａ，１６ｂとで直流を供給する回路を構成する。直流が入力された場合には、第１継電器２１の第１駆動部２１ａが駆動して１対の電力供給線１７ａ，１７ｂに介装された第１接点部２１ｂ，２１ｃがＯＮし、入力線１２ａ，１２ｂと１対の直流供給線１７ａ，１７ｂと直流出力線１６ａ，１６ｂとで直流を供給する回路を構成する。
【００２７】
入力線１２ａ，１２ｂは、本体ケース６の側面に設けられた接続部に接続されており、制御ユニット２から電気ケーブル２ａを介して交流又は直流（例えば、ＡＣ１００Ｖ又はＤＣ２４Ｖ）が入力される。この入力線１２ａには後述する変圧器１３の１次側１３ａが、入力線１２ｂには入力切換回路１９が接続されている。尚、直流が入力された場合は、負極側入力線１２ｂが、直流供給線１７ｂを介してグランドに接続される。
【００２８】
変圧器１３は、この電源入力回路１０が作成される基板の重量の半分以上を占める部品であって、この変圧器１３の１次側１３ａは、入力線１２ａ，１２ｂに接続され、２次側１３ｂがＡＣ／ＤＣコンバータ１４に接続されている。この変圧器１３の巻数比は１次側１３ａより２次側１３ｂの方が少なく、降圧形の変圧器として機能する。
【００２９】
ＡＣ／ＤＣコンバータ１４は、４つのダイオード１４ａ〜１４ｄから構成され、入力線１２ａ，１２ｂに交流が入力された場合に作動する。このコンバータ１４には、変圧器１３により降圧された交流電圧が入力され、この交流電圧を全波整流し、出力端に接続された直流出力線１６ａ，１６ｂに直流を出力する。尚、直流電圧が入力された時は、変圧器１３の２次側１３ｂはゼロ電圧なので作動しない。
【００３０】
直流出力線１６ａ，１６ｂは、ＡＣ／ＤＣコンバータ１４の出力端と、直流供給線１７ａ，１７ｂに接続されており、入力線１２ａ，１２ｂに直流が入力された場合は、直流を表示ディスプレイ７に直接出力し、交流電圧が入力された場合は、変圧器１３とコンバータ１４を介して変換された直流を表示ディスプレイ７に出力する。負極側の直流出力線１６ｂはグランドに接続されている。
【００３１】
１対の直流供給線１７ａ，１７ｂは、入力線１２ａ，１２ｂの正極側１２ａと負極側１２ｂから夫々分岐して直流出力線１６ａ，１６ｂの正極側１６ａと負極側１６ｂに夫々接続されている。この直流供給線１７ａの途中部には、第１継電器の第１接点部２１ｂが介装され、直流供給線１７ｂの途中部には、第１接点部２１ｃが介装されている。
【００３２】
入力切換用回路１９は、入力された電圧に応じて自動的に回路を切換可能であり、この入力切換用回路１９は、入力線１２ａ，１２ｂのうち直流入力時に負極側となる負極側入力線１２ｂに設けられ、キャパシタ２０と、第１継電器２１の第１駆動部２１ａと、第２継電器２２の第２接点部２２ｂとが並列に接続された回路構成を有している。
【００３３】
このキャパシタ２０は、交流電圧が入力された時は、始動時の電圧を充放電によりバイパスする機能を有し、第１駆動部２１ａに電圧を印加させずに、変圧器１３の１次側１３ａに電圧を印加させることができる。直流電圧が入力された時の始動時では、先ずこのキャパシタ２０が充電されるため、第１駆動部２１ａの作動を遅らせることができる。
【００３４】
ここで、第１，第２継電器２１，２２について説明する。
第１継電器２１は、第１駆動部２１ａと１対の第１接点部２１ｂ，２１ｃとを有し、直流が入力された時は、第１駆動部２１ａがキャパシタ２０の充電により遅延して作動され、１対の第１接点部２１ｂ，２１ｃがＯＮされるため、入力線１２ａ，１２ｂと直流出力線１６ａ，１６ｂとを接続する。
【００３５】
第２継電器２２は、第２駆動部２２ｂと第２接点部２２ｃとを有し、交流電圧が入力された時は、変圧器１３の２次側１３ｂに電圧が発生次第、ＡＣ／ＤＣコンバータが作動され、第２駆動部２２ａが作動され、第２接点部２２ｂがＯＮされるため、入力切換用回路１９が短絡される。
【００３６】
これら継電器２１，２２において、各駆動部２１ａ，２２ａはフォトダイオードなどの発光素子で構成されているので、電圧が印加されると電圧を光に変換でき、各接点部２１ｂ，２２ｂ，２２ｃがフォトトランジスタなどの受光素子で構成されているので、光を受光素子に受光させることで、各接点部２１ｂ，２１ｃ，２２ｂをＯＮさせることができる。このように、これら継電器２１，２２がＭＯＳリレーで構成されているので、電源入力回路１０を小型に製造することが出来る。
【００３７】
ダイオード２４は、直流出力線１６ａ，１６ｂの正極側線１６ａに接続された第２継電器２２の第２駆動部２２ａの第１接続点２４ａと、直流出力線１６ａ，１６ｂの正極側線１６ａと正極側直流供給線１７ａの第２接続点２４ｂとの間に順方向に設けられ、交流を入力する場合は、ダイオード２４を介して直流を出力し、直流を入力する場合には、このダイオード２４により、第２駆動部２２ａを作動させないように直流用の回路から離隔することができる。
【００３８】
第１キャパシタ２６は、ＡＣ／ＤＣコンバータ１４の出力端に並列に接続され、このキャパシタ２６により、第２駆動部２２ａの作動電圧の閾値を下回らない程度に軽く濾波する。第２キャパシタ２７は、第１キャパシタより大容量のキャパシタであって第２駆動部２２ａの出力側に並列に接続され、このキャパシタ２７により、コンバータ１４で全波整流された電圧を再濾波することができる。
【００３９】
次に、この電源入力回路１０の作用及び効果について説明する。
この電源入力回路１０が組み込まれたガス圧モニター装置１は、プレス機械の金型に装着されたガススプリング４のガス圧力を表示するため、先ず、プレス機械の制御ユニット２に電気ケーブル２ａを介して接続し、電源入力回路１０の入力線１２ａ，１２ｂに電源電圧を供給する。制御ユニット２からの電源電圧として、プレス機械の電源に応じて、交流電圧（ＡＣ１００Ｖ）又は直流電圧（ＤＣ２４Ｖ）が供給される。
【００４０】
次に、プレス機械の外部に設けられたガス供給源３からのガスホース３ａを第１連結部８ａに接続し、第２連結部８ｂに接続されたガスホース４ａをガススプリング４のガス給排孔に接続することで、ガス圧モニター装置１を介してガスを給排することができる。このため、表示ディスプレイ７とゲージ部９には常時ガス圧力を表示することができる。
【００４１】
ここで、この電源入力回路１０に直流を入力された場合には、第１駆動部２１ａが作動して１対の電力供給線１７ａ，１７ｂに介装された１対の第１接点部２１ｂ，２１ｃがＯＮし、入力線１２ａ，１２ｂと、直流供給線１７ａ，１７ｂと、直流出力線１６ａ，１６ｂとで直流を供給する回路を構成することができ、入力線１２ａ，１２ｂに入力された直流が直接液晶ディスプレイ７に出力される。このとき、第１駆動部２１ａにも抵抗があり、変圧器１３の１次側１３ａには第１駆動部２１ａとで分圧された電圧が印加されるが、直流では変圧器１３は駆動されないため、変圧器の２次側１３ｂの出力はゼロ電圧となり、第２駆動部２２は作動しない。
【００４２】
また、この電源入力回路１０に交流が入力された場合には、キャパシタ２０を介して入力線１２ａ，１２ｂに交流が流れるため、変圧器１３が作動し、第２継電器２２の第２駆動部２２ａが作動して第２接点部２２ｂがＯＮし、入力線１２ａ，１２ｂと変圧器１３とＡＣ／ＤＣコンバータ１４と直流出力線１６ａ，１６ｂとで直流を供給する回路を構成することができ、入力線１２ａ，１２ｂに入力された交流は、変圧器１３で変圧後、コンバータ１４で整流され、直流出力線１６ａ，１６ｂから直流が液晶ディスプレイ７に出力される。
【００４３】
このように、共通の入力線１２ａ，１２ｂに、直流を入力した場合にも直流出力線に直流を発生し、交流を入力した場合にも直流出力線１６ａ，１６ｂに直流を発生する。そのため、直流電源、交流電源を区別することなく、入力線１２ａ，１２ｂに電源を入力可能になるので、使い勝手に優れる。
【００４４】
入力切換用回路１９のキャパシタ２０は、直流が入力された場合には、先ずこのキャパシタ２０が充電されるため、第１駆動部２１ａの作動を遅延（約９０ｍｓ）させることができ、電源入力回路１０の起動の安定性を向上させることができる。交流が入力された場合には、このキャパシタ２０を介して入力線１２ａ，１２ｂに交流が流れ、このキャパシタのバイパスの機能により瞬間的な第１駆動部２１ａに対する電圧変化がないため、第１駆動部２１ａが作動することなく、第１継電器２１の誤動作を防止する。また、第２駆動部２２ａにより第２接点部２２ｂがＯＮされ、キャパシタ２０と第１駆動部２１ａが短絡されるので、キャパシタ２０と合わせて二重の誤動作防止となる。
【００４５】
この電源入力回路１０が、金型に備えられたガススプリング４のガス圧力を表示する表示ディスプレイ７の電源入力回路１０としてガス圧モニター装置１に組み込まれたので、このガス圧モニター装置１は、交流又は直流電源を接続しても、この電源入力回路１０により自動的に切り換えて使用することができる。
【００４６】
この電源入力回路１０は、入力切換用回路１９により交流又は直流が入力されても自動的に回路を切り換えることができるので、高価なＩＣ素子を使用せずに、安価な構成部品で小型の電源入力回路１０を製造することができるので、製造コストを抑制することができる。
【００４７】
次に、前記実施例を部分的に変更した変更例について説明する。
１］電源入力回路１０は、ガス圧力を表示するガス圧モニター装置１の表示ディスプレイ７に適用されているが、油圧圧力を表示する表示装置に適用しても良く、他の直流電圧を必要とする種々の装置に適用しても良い。
２］第１，第２継電器２１，２２は、第１，第２駆動部２１ａ，２２ａをコイルで構成し、第１，第２接点部２１ｂ，２１ｃ，２２ｂを鉄心で構成する静止形リレーで構成しても良い。
３］その他、当業者であれば、本発明の趣旨を逸脱することなく、前記実施例に種々の変更を付加した形態で実施可能で、本発明はそのような変更形態も包含するものである。
【図面の簡単な説明】
【００４８】
【図１】本発明の実施例１に係るガス圧モニター装置の正面図である。
【図２】ガス圧モニター装置の側面図である。
【図３】ガス圧モニター装置の表示装置の電源入力回路の回路図である。
【符号の説明】
【００４９】
１            ガス圧モニター装置
２            制御ユニット
７            表示ディスプレイ
１０          電源入力回路
１２ａ，１２ｂ       入力線
１３          変圧器
１４          ＡＣ／ＤＣコンバータ
１６ａ，１６ｂ       直流出力線
１７ａ，１７ｂ       直流供給線
１９          入力切換用回路
２０          キャパシタ
２１          第１継電器
２１ａ        第１駆動部
２１ｂ，２１ｃ       第1接点部
２２          第２継電器
２２ａ        第２駆動部
２２ｂ        第２接点部
２４          ダイオード
【図１】
0005048540.tif 000002
【図２】
0005048540.tif 000003
【図３】
0005048540.tif 000004